(57)【要約】【課題】表示モニタに表示されるアイコンの数を少なくすることができる情報処理装置およびプログラムを提供する。【解決手段】一つのアイコンに対して行う所定の操作と複数の機能処理とを対応付けて割り付け、表示モニタ１５に表示されている一つのアイコンに対して第１の操作が行われた場合、第１の機能処理を実行し、一つのアイコンに対して第２の操作が行われた場合、第２の機能処理を実行する制御回路１１を備える。【選択図】図１
2011118605.tif 000002
【特許請求の範囲】
【請求項１】
表示モニタに表示されているアイコンに対してユーザが所定の操作を行うことにより、各種の機能処理を実行するようにした情報処理装置において、
一つのアイコンに対してユーザが行う所定の操作と複数の機能処理とを対応付けて割り付ける割付手段と、
前記割付手段にしたがって前記表示モニタに表示されている前記一つのアイコンに対してユーザによる第１の操作が行われた場合、第１の機能処理を実行し、前記一つのアイコンに対してユーザによる第２の操作が行われた場合、第２の機能処理を実行する実行手段とを備えることを特徴とする情報処理装置。
【請求項２】
請求項１に記載の情報処理装置において、
現在地を検出する現在地検出手段と、
前記ユーザによる所定の操作に対応して選択された機能処理について、前記検出された現在地に適した内容の処理を選択する選択手段とをさらに有し、
前記実行手段は、前記選択手段で選択した処理を実行することを特徴とする情報処理装置。
【請求項３】
請求項２に記載の情報処理装置において、
前記一つのアイコンは地域ごとの放送電波を受信するチューナ処理を実行するためのアイコンであり、
前記アイコンが選択されたとき、前記検出された現在地に適した放送局の電波を受信するようにチューナ処理を実行することを特徴とする情報処理装置。
【請求項４】
請求項１に記載の情報処理装置において、
現在地を検出する現在地検出手段と、
前記一つのアイコンに対するユーザの前記第1または第２の操作に基づいて選択された機能処理を実行するか否かを、前記現在地検出手段によって検出された現在地に基づいて判定する判定手段とをさらに備えることを特徴とする情報処理装置。
【請求項５】
請求項４に記載の情報処理装置において、
前記検出された現在地が高速道路上であるとき、一般道に適した機能処理のアイコンが選択されたとき、そのアイコンに割り付けられている機能処理の実行を禁止することを特徴とする情報処理装置。
【請求項６】
表示モニタに表示されているアイコンに対してユーザが所定の操作を行うことにより、各種の機能処理をコンピュータで実行するためのプログラムにおいて、
一つのアイコンに対してユーザが行う所定の操作と複数の機能処理とを対応付けて割り付ける割付処理と、
前記割付処理にしたがって前記表示モニタに表示されている前記一つのアイコンに対してユーザの第１の操作が行われた場合、第１の機能処理を実行し、前記一つのアイコンに対してユーザの第２の操作が行われた場合、第２の機能処理を実行する実行処理とを含むプログラム。
【請求項７】
請求項６に記載のプログラムにおいて、
現在地を検出する現在地検出処理と、
前記ユーザの所定の操作に対応して選択された機能処理について、前記検出された現在地に適した内容の処理を選択する選択処理をさらに含み、
前記実行処理では、前記選択処理で選択した内容の処理を実行することを特徴とするプログラム。
【発明の詳細な説明】
【技術分野】
【０００１】
本発明は、表示モニタに表示されたアイコンに対する操作によりコンテンツを実行する情報装置およびプログラムに関する。
【背景技術】
【０００２】
従来、所定のアプリケーションの所定の機能に対するショートカットのアイコンを作成する情報処理装置が知られている（たとえば、特許文献１）。
【先行技術文献】
【特許文献】
【０００３】
【特許文献１】特開２００４−１０２４５７号公報
【発明の概要】
【発明が解決しようとする課題】
【０００４】
特許文献１に記載の情報処理装置では、デスクトップ画面からいろいろなアプリケーションの機能を起動させようとすると、デスクトップ画面に表示されるアイコンの数が多くなり、デスクトップが乱雑になるという問題点がある。
【課題を解決するための手段】
【０００５】
請求項１の発明の情報処理装置は、表示モニタに表示されているアイコンに対してユーザが所定の操作を行うことにより、各種の機能処理を実行するようにした情報処理装置において、一つのアイコンに対してユーザが行う所定の操作と複数の機能処理とを対応付けて割り付ける割付手段と、割付手段にしたがって表示モニタに表示されている一つのアイコンに対してユーザの第１の操作が行われた場合、第１の機能処理を実行し、一つのアイコンに対してユーザの第２の操作が行われた場合、第２の機能処理を実行する実行手段とを備えることを特徴とする。
請求項６の発明は、表示モニタに表示されているアイコンに対してユーザが所定の操作を行うことにより、各種の機能処理をコンピュータで実行するためのプログラムにおいて、一つのアイコンに対して行うユーザの所定の操作と複数の機能処理とを対応付けて割り付ける割付処理と、割付処理にしたがって表示モニタに表示されている一つのアイコンに対してユーザの第１の操作が行われた場合、第１の機能処理を実行し、一つのアイコンに対してユーザの第２の操作が行われた場合、第２の機能処理を実行する実行処理とを含む。
【発明の効果】
【０００６】
本発明によれば、表示モニタに表示される、コンテンツを実行させるためのアイコンの数を少なくすることができる。
【図面の簡単な説明】
【０００７】
【図１】本発明の第１の実施形態における情報処理装置の構成を説明するためのブロック図である。
【図２】本発明の第１の実施形態におけるアイコン−操作−アプリケーションプログラム関連表を説明するための図である。
【図３】本発明の第１の実施形態におけるアプリケーションプログラム起動処理を説明するためのフローチャートである。
【図４】本発明の第１の実施形態におけるアプリケーションプログラムの起動操作を説明するための図である。
【図５】本発明の第２の実施形態におけるナビゲーション装置の構成を説明するためのブロック図である。
【図６】本発明の第２の実施形態におけるアイコン−操作−メニューの項目関連表を説明するための図である。
【図７】本発明の第２の実施形態におけるアイコンに対するメニューの項目登録操作を説明するための図である。
【図８】本発明の第２の実施形態におけるナビゲーション装置のアイコンが表示された表示モニタの画面を説明するための図である。
【図９】本発明の第２の実施形態におけるメニューの項目に対応する処理の実行処理を説明するためのフローチャートである。
【発明を実施するための形態】
【０００８】
−第１の実施形態−
図１は、本発明の第１の実施形態における情報処理装置１の構成を示す図である。この情報処理装置１は、表示モニタ１５の画面に表示されたアイコンを、入力装置１６の操作でクリックすることによって、アプリケーションプログラムを起動させることができる。情報処理装置１は、制御回路１１、ＲＯＭ１２、ＲＡＭ１３、画像メモリ１４、表示モニタ１５、入力装置１６、外部記憶装置１７および通信装置１８を有する。
【０００９】
制御回路１１は、マイクロプロセッサおよびその周辺回路からなり、ＲＡＭ１３を作業エリアとしてＲＯＭ１２または外部記憶装置１７に格納された制御プログラムを実行して各種の制御を行う。画像メモリ１４は、表示モニタ１５に表示するための画像データを格納する。この画像データは各種の図形データからなり、制御回路１１において適宜生成される。
【００１０】
表示モニタ１５は、アイコンが表示されたデスクトップ画面を表示したり、各アプリケーションに対応した画面を表示したりする。入力装置１６は、ユーザが各種コマンドを入力するための操作キーを有し、マウスなどのポインティングデバイスやキーボードなどによって実現される。表示モニタ１５の画面にはポインタが表示され、ポインティングデバイスの操作に応じてポインタの表示位置が変更される。ユーザによって入力装置１６が操作されると、入力装置１６は操作に応じた信号を制御回路１１に出力する。
【００１１】
外部記憶装置１７は、フラッシュメモリやハードディスクなどの書き換え可能な不揮発性メモリや不揮発性記録媒体によって構成される。外部記憶装置１７は、アプリケーションプログラムや、図２のアイコン−操作−アプリケーションプログラム関連表、図３のフローチャートの処理のプログラム、音楽データなどを格納する。
【００１２】
アイコン−操作−アプリケーションプログラム関連表は、アイコンの種類と、そのアイコンに重ねてポインタが表示されたときのポインティングデバイスの操作と、その操作によって起動するアプリケーションプログラムとの関係を記録した関連表である。制御回路１１は、アイコンがクリックされると、アイコン−操作−アプリケーションプログラム関連表を参照して、所定のアプリケーションプログラムを起動する。
【００１３】
たとえば、図２に示すアイコン−操作−アプリケーションプログラム関連表では、ポインタをアイコン１に重ねたとき、ポインティングデバイスでダブルクリック操作を行うと、アプリケーションプログラムＡが起動され、ポインティングデバイスでワンクリック操作を行うと、アプリケーションプログラムＢが起動される。ポインタをアイコン２に重ねたとき、ポインティングデバイスでダブルクリック操作を行うと、アプリケーションプログラムＣが起動され、ポインティングデバイスでワンクリック操作を行うと、アプリケーションプログラムＤが起動される。ポインタをアイコン３に重ねたとき、ポインティングデバイスでダブルクリック操作を行うと、アプリケーションプログラムＥが起動され、ポインティングデバイスでワンクリック操作を行うと、アプリケーションプログラムＦが起動される。
【００１４】
通信装置１８は、通信ネットワーク２への接続を制御する。
【００１５】
次に、図３のフローチャートを参照して、本発明の第１の実施形態におけるアプリケーションプログラム起動処理を説明する。図３の処理は、アイコンとポインタとが表示されたデスクトップ画面が表示されるとスタートするプログラムにより、制御回路１１において実行される。
【００１６】
ステップＳ１０１では、入力装置１６から出力された操作信号を入力する。ステップＳ１０２では、入力された操作信号に基づいて、デスクトップ画面に表示されているポインタの位置を検出する。ステップＳ１０３では、ポインタの位置はアイコン上であるか否かを判定する。ポインタの位置がアイコン上である場合はステップＳ１０３が肯定判定され、ステップＳ１０４へ進む。ポインタの位置がアイコン上でない場合はステップＳ１０３が否定判定され、ステップＳ１０１に戻る。
【００１７】
ステップＳ１０４では、ポインタの位置のアイコンを特定する。ステップＳ１０５では、ステップＳ１０１で入力された操作信号に基づいて、入力装置１６の操作を検出する。ステップＳ１０６では、アイコン−操作−アプリケーションプログラム関連表を参照して、ステップＳ１０４で特定されたポインタの位置のアイコンと、ステップＳ１０５で検出された入力装置１６の操作とに基づいて起動するアプリケーションプログラムを決定する。ステップＳ１０７では、決定されたアプリケーションプログラムを起動する。
【００１８】
図４を参照して、本発明の第１の実施形態におけるアプリケーションプログラムの起動操作を説明する。図４（ａ）は、デスクトップ画面の一例を示す図である。デスクトップ画面２０には、アイコン２１ａ〜２１ｃとポインタ２２とが表示される。ポインタ２２をアイコン２１ａに重ねた後、ポインティングデバイスでダブルクリック操作を行うと、地図を表示するアプリケーションプログラムが起動される。そして、図４（ｂ）に示すように、表示モニタ１５の画面には地図３０が表示される。ポインタ２２をアイコン２１ａに重ねた後、ポインティングデバイスでワンクリック操作を行うと、外部記憶装置１７に記憶された音楽データを再生するアプリケーションプログラムが起動される。そして、図４（ｃ）に示すように、表示モニタ１５の画面には音楽を再生するときに表示される音楽再生画面４０が表示される。
【００１９】
以上の第１の実施形態による情報処理装置１は次のような作用効果を奏する。
表示モニタ１５にアイコン１を表示し、アイコン１に対してユーザのダブルクリック操作が行われた場合、アプリケーションプログラムＡを起動し、アイコン１に対してユーザのワンクリック操作（長押し）が行われた場合、アプリケーションプログラムＢを起動するようにした。これにより、表示モニタに表示されるアイコンの数を少なくすることができる。
【００２０】
以上の第１の実施形態の情報処理装置１を次のように変形することができる。
（１）アイコンに対して行われるユーザの操作は、ダブルクリック操作およびワンクリック操作に限定されない。
【００２１】
（２）アイコンに対してユーザの操作が行われると、実施されるコンテンツの実行は、アプリケーションプログラムの起動に限定されない。たとえば、所定のフォルダが開くようにしてもよい。
【００２２】
（３）アイコンに対してユーザの第１の操作が行われると実行されるコンテンツと、同じアイコンに対してユーザの第２の操作が行われると実行されるコンテンツとをユーザが登録できるようにしてもよい。すなわち、図２に示すテーブルを任意に作成できるようにしてもよい。これにより、ユーザの好みのコンテンツを実行させることができ、情報処理装置の利便性が向上する。
【００２３】
（４）第１のコンテンツを実行させるためのアイコンに対するユーザの第１の操作と、第２のコンテンツを実行させるためのアイコンに対するユーザの第２の操作とをユーザが登録できるようにしてもよい。すなわち、図２に示すテーブルを任意に作成できるようにしてもよい。これにより、ユーザの好みの操作でコンテンツを実行させることができ、情報処理装置の利便性が向上する。
【００２４】
（５）１つのアイコンに対して実行されるコンテンツは２つに限定されず、３つ以上でもよい。たとえば、１つのアイコンに対する３つの操作に対して、それぞれ３つのコンテンツを実行するようにしてもよい。
【００２５】
−第２の実施形態−
図５は、本発明の第２の実施形態におけるナビゲーション装置５の構成を示すブロック図である。このナビゲーション装置５は、携帯型ナビゲーション装置として使用することができるように構成されている。また、ナビゲーション装置５は、ユーザが画面に表示されているアイコンを押圧すると、所定の処理を実行する。ナビゲーション装置１は、制御回路５１、ＲＯＭ５２、ＲＡＭ５３、ＧＰＳ（Global Positioning System）センサ５４、画像メモリ５５、表示モニタ５６、スピーカ５７、入力装置５８、タッチパネル５９、タッチパネルコントロール部５１０、データ記憶装置５１１、電源部５１２およびバッテリ５１３を有する。
【００２６】
制御回路５１は、マイクロプロセッサおよびその周辺回路からなり、ＲＡＭ５３を作業エリアとしてＲＯＭ５２に格納された制御プログラムを実行して各種の制御を行う。また、制御回路５１は、データ記憶装置５１１に記憶された地図データに基づいて所定の経路探索処理を行う。そして、その処理結果が推奨経路として表示モニタ５６に表示される。
【００２７】
ＧＰＳセンサ５４は、複数のＧＰＳ衛星から送信されるＧＰＳ信号を受信して、ナビゲーション装置５の現在地を検出する。ＧＰＳセンサ５４により検出された現在地に基づいて地図の表示範囲や経路探索の開始地点などが決定される。また、ＧＰＳセンサ５４により検出された現在地は自車位置マークとして地図上に表示される。
【００２８】
画像メモリ５５は、表示モニタ５６に表示するための画像データを格納する。この画像データは道路地図描画用データや各種の図形データからなり、それらはデータ記憶装置５１１に記憶された地図データに基づいて、制御回路５１において適宜生成される。
【００２９】
データ記憶部５１１は、フラッシュメモリやハードディスクなどの書き換え可能な不揮発性メモリや不揮発性記録媒体によって構成され、地図データやアイコン−操作−メニューの項目関連表などを記憶する。
【００３０】
地図データは、地図表示用データ、経路探索用データなどを含む。地図表示用データおよび経路探索用データには道路のリンク情報およびノード情報が含まれている。地図表示用データは、広域から詳細まで複数の縮尺の地図データを有し、ユーザの要求にしたがって、表示地図の縮尺を変更することができる。なお、データ記憶装置５１１以外の他の記録メディア、たとえばＤＶＤ−ＲＯＭやＣＤ−ＲＯＭなどより地図データを読み出してもよい。
【００３１】
アイコン−操作−メニューの項目関連表は、アイコンの種類と、そのアイコンに対する押圧操作と、その操作によって処理を開始するメニューの項目との関係を記録した関連表である。制御回路５１は、アイコンが押圧されると、アイコン−操作−メニューの項目関連表を参照して、所定の処理を開始する。
【００３２】
たとえば、図６に示すアイコン−操作−メニューの項目関連表では、所定時間内にアイコン１が２回押圧（短押し２回操作）されると、メニューの項目「自宅へ帰る」に対応する処理が開始され、アイコン１が所定時間継続して１回押圧（長押し操作）されると、メニューの項目「登録地１へ行く」に対応する処理が開始される。アイコン２が短押し２回操作されると、メニューの項目「住所から検索」に対応する処理が開始され、アイコン２が長押し１回操作されると、メニューの項目「電話番号から検索」に対応する処理が開始される。
【００３３】
図５のタッチパネル５９は、表示モニタ５６の表面に積層される透明のタッチスイッチであり、表示モニタ５６に表示される画像はタッチパネル５９を透過して表示される。タッチパネル５９は、タッチパネル５９上の押圧位置に応じた信号をタッチパネルコントロール部５１０に出力する。タッチパネルコントロール部５１０はタッチパネル５９の押圧位置を算出し、算出結果を制御回路５１に出力する。表示モニタ５６に表示された各種ボタンや表示メニューが押圧されるとタッチパネル５９が押圧され、押圧された各種ボタンや表示メニューに定義された処理が実行される。
【００３４】
表示モニタ５６は、地図データなどの各種情報に基づいて、現在地付近の地図などの各種情報を表示する。スピーカ５７は、各種入力操作をユーザに指示したり、経路誘導したりするための音声を出力する。入力装置５８は、ユーザが各種コマンドの設定や検索条件の入力などするための操作キーを有し、操作パネル上のボタンスイッチやパネル周囲のハードスイッチなどによって実現される。ユーザは、表示モニタ５６の表示画面の指示やスピーカ５７からの音声指示にしたがって入力装置５８を操作することにより、目的地を設定する。
【００３５】
目的地がユーザにより設定されると、ナビゲーション装置５はＧＰＳセンサ５４により検出された現在地を出発地として目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置５は、推奨経路にしたがって車両が走行できるように、ユーザに対して画面や音声などによる進行方向指示を行い、車両を経路誘導する。
【００３６】
電源部５１２は、ナビゲーション装置内蔵のバッテリ５１３から供給される電力を安定化したり、所定の電圧値に変換したりする。
【００３７】
図７を参照して、アイコンに対してメニューの項目を登録するときのユーザの操作を説明する。ユーザが、不図示の初期メニューからショートカットアイコンの設定を選択すると、図７（ａ）に示すように、項目選択画面６０が表示される。項目選択画面６０には、アイコンに登録することができる機能を項目６１ａ〜６１ｄとする、メニューが表示される。項目「自宅へ帰る」６１ａは、現在地から自宅までの経路を探索し、自宅までの経路誘導を開始する項目である。項目「登録地へ行く」６１ｂは、現在地から予め登録されている登録地１までの経路を探索し、登録地１までの経路誘導を開始する項目である。項目「住所から検索」６１ｃは、ＰＯＩ（Points Of Interest）を住所から検索する機能を開始する項目である。項目「電話番号から検索」６１ｄは、電話番号からＰＯＩを検索する機能を開始する項目である。ユーザは項目６１ａ〜６１ｄを押圧することによりアイコンに登録する項目を選択することができる。
【００３８】
ユーザが、項目選択画面６０の項目６１ａ〜６１ｄの中からひとつの項目を押圧すると、図７（ｂ）に示すように、アイコン選択画面７０が表示される。アイコン選択画面７０には、アイコン７１ａ〜７１ｃと、新しいアイコン作成ボタン７２と、戻るボタン７３とが表示される。ユーザは、アイコン７１ａ〜７１ｃの中のひとつのアイコンを押圧することによって項目選択画面６０で選択された項目を登録するアイコンを選択することができる。新しいアイコン作成ボタン７２は、ユーザが新しいアイコンを作成して、そのアイコンに選択された項目を登録するためのボタンである。戻るボタン７３は、項目選択画面６０に戻るためのボタンである。
【００３９】
ユーザがアイコン７１ａ〜７１ｃの中のひとつのアイコンを押圧する、または新しいアイコン作成ボタン７２を押圧して新しいアイコンを作成すると、図７（ｃ）に示すように、操作選択画面８０が表示される。操作選択画面８０には、登録された項目に対応する処理を開始するときの、登録されたアイコンに対する操作を選択する操作登録ボタン８１ａ，８１ｂと、決定ボタン８２と、戻るボタン８３とが表示される。操作登録ボタン８１ａは、アイコンの短押し２回操作を登録するためのボタンである。操作登録ボタン８１ｂは、アイコンの長押し１回操作を登録するためのボタンである。決定ボタン８２は、アイコンの登録を決定するためのボタンである。戻るボタン８３は、アイコン選択画面７０に戻るためのボタンである。
【００４０】
操作選択画面８０の決定ボタン８２が押圧されると、アイコン−操作−メニューの項目関連表に登録内容が書き込まれる。また、図８に示すように、表示モニタ５６に地図９０が表示され、地図９０に重ねてメニューの項目やアイコンの操作が登録されたアイコン９１ａ〜９１ｃが表示される。ユーザがアイコン９１ａ〜９１ｃに対して、アイコン９１ａ〜９１ｃに登録されている操作を行うと、アイコン９１ａ〜９１ｃに登録されている項目に対応する処理が開始される。
【００４１】
次に、図９のフローチャートを参照して、本発明の第２の実施形態におけるメニューの項目に対応する処理の実行処理を説明する。図９の処理は、アイコンが表示モニタ５６に表示されるとスタートするプログラムにより、制御回路５１において実行される。
【００４２】
ステップＳ１０１では、タッチパネルコントロール部５１０で算出されたタッチパネル５９の押圧位置に基づいて、ユーザのタッチパネル５９に対する操作と、タッチパネル５９の押圧位置とを検出する。
【００４３】
ステップＳ２０２では、押圧位置が、表示モニタ５６に表示されているアイコン上であるか否かを判定する。押圧位置がアイコン上である場合はステップＳ２０２が肯定判定され、ステップＳ２０３へ進む。押圧位置がアイコン上でない場合はステップＳ２０２が否定判定され、ステップＳ２０１に戻る。
【００４４】
ステップＳ２０３では、アイコン−操作−メニューの項目関連表を参照して、押圧されたアイコンと、タッチパネル５９の操作とに基づいて、処理を開始するメニューの項目を決定する。ステップＳ２０４では、決定されたメニューの項目に対応する処理を開始する
【００４５】
以上の第２の実施形態によるナビゲーション装置５は次のような作用効果を奏する。
（１）表示モニタ５６にアイコン１を表示し、アイコン１に対してユーザの短押し２回操作が行われた場合、「自宅へ変える」の項目に対応する処理を開始し、アイコン１に対してユーザの長押し１回操作が行われた場合、「登録地１へ行く」の項目に対応する処理を開始するようにした。これにより、表示モニタに表示されるアイコンの数を少なくすることができる。
【００４６】
（２）アイコン１に対してユーザの短押し２回操作が行われると実行される項目と、アイコン１に対してユーザの長押し１回操作が行われると実行される項目とを登録するようにした。これにより、ユーザの好みの項目を実行させることができ、ナビゲーション装置の利便性が向上する。
【００４７】
以上の第２の実施形態のナビゲーション装置５を次のように変形することができる。
（１）アイコンに対して行われるユーザの操作は、短押し２操作および長押し１回操作に限定されない。
【００４８】
（２）アイコンに対してユーザの操作が行われると、実施されるコンテンツの実行は、メニューの項目に対応する処理の開始に限定されない。
【００４９】
（３）検出された現在地に基づいて、アイコンがユーザによって操作されることによって実行されるコンテンツを変更するようにしてもよい。たとえば、車両が東京都内を走行中は、アイコン１に対してユーザの短押し２回操作が行われると、東京都の所定のＦＭ局の放送を受信してスピーカ５７から出力し、車両が大阪府内を走行中は、アイコン１に対してユーザの短押し２回操作が行われると、大阪府の所定のＦＭ局の放送を受信してスピーカ５７から出力するようにしてもよい。現在地に対して適切なコンテンツを実行することができ、ナビゲーション装置の利便性が向上する。
【００５０】
すなわち、このようなナビゲーション装置は、現在地を検出する現在地検出手段と、ユーザの所定の操作に対応して選択された機能処理について、検出された現在地に適した処理を選択する選択手段とをさらに有し、選択手段で選択した処理を実行するように構成すればよい。
【００５１】
たとえば、一つのアイコンは地域ごとの放送電波を受信するチューナ処理を実行するためのアイコンであり、アイコンが選択されたとき、検出された現在地に適した放送局の電波を受信するようにチューナ処理を実行するようにすればよい。
【００５２】
（４）検出された現在地に基づいて、アイコンがユーザによって操作されてもコンテンツが実行されないようにしてもよい。たとえば、車両が一般道路を走行中は、アイコン１に対してユーザの短押し２回操作が行われると、表示されている地図の縮尺が変更され、車両が高速道路を走行中は、アイコン１に対してユーザの短押し２回操作が行われても地図の縮尺が変更されないようにしてもよい。現在地に対して不適切なコンテンツの実行を防止することができ、ナビゲーション装置の利便性が向上する。
【００５３】
すなわち、このようなナビゲーション装置は、現在地を検出する現在地検出手段と、一つのアイコンに対するユーザの第1または第２の操作に基づいて選択された機能処理を実行するか否かを、現在地検出手段によって検出された現在地に基づいて判定する判定手段とをさらに備えるように構成すればよい。
【００５４】
たとえば、検出された現在地が高速道路上であるとき、一般道に適した機能処理のアイコンが選択されたとき、そのアイコンに割り付けられている機能処理の実行を禁止するようにすればよい。
【００５５】
（５）第１のコンテンツを実行させるためのアイコンに対するユーザの第１の操作と、第２のコンテンツを実行させるためのアイコンに対するユーザの第２の操作とをユーザが登録できるようにしてもよい。これにより、ユーザの好みの操作でコンテンツを実行させることができ、ナビゲーション装置の利便性が向上する。
【００５６】
（６）１つのアイコンに対して実行されるコンテンツは２つに限定されず、３つ以上でもよい。たとえば、１つのアイコンに対するユーザの３つの操作に対して、それぞれ３つのコンテンツを実行するようにしてもよい。
【００５７】
上記のように、表示モニタに表示されているアイコンに対してユーザが所定の操作を行うことにより、各種の機能処理をコンピュータで実行するためのアイコン処理プログラムも本発明の一態様である。このプログラムは、一つのアイコンに対して行うユーザの所定の操作と複数の機能処理とを対応付けて割り付ける割付処理と、表示モニタに表示されている一つのアイコンに対してユーザの第１の操作が行われた場合、第１の機能処理を実行し、一つのアイコンに対してユーザの第２の操作が行われた場合、第２の機能処理を実行する実行処理とを含む。
【００５８】
また、このアイコン処理プログラムにおいて、現在地を検出する現在地検出処理と、ユーザの所定の操作に対応して選択された機能処理について、検出された現在地に適した内容の処理を選択する選択処理をさらに含むようにしてもよい。
【００５９】
実施形態と変形例の一つ、もしくは複数を組み合わせることも可能である。変形例同士をどのように組み合わせることも可能である。
【００６０】
以上の説明はあくまで一例であり、発明は、上記の実施形態に何ら限定されるものではない。
【符号の説明】
【００６１】
１  情報処理装置
５  ナビゲーション装置
１１，５１  制御回路
１５，５６  表示モニタ
１７  外部記憶装置
２１ａ〜２１ｃ，９１ａ〜９１ｃ  アイコン
５９  タッチパネル
５１０  タッチパネルコントロール部
５１１  データ記憶装置
【図１】
2011118605.tif 000003
【図２】
2011118605.tif 000004
【図３】
2011118605.tif 000005
【図４】
2011118605.tif 000006
【図５】
2011118605.tif 000007
【図６】
2011118605.tif 000008
【図７】
2011118605.tif 000009
【図８】
2011118605.tif 000010
【図９】
2011118605.tif 000011